(57)【要約】【課題】過電圧が回路に印加されることを抑制できるハーネスおよびそのハーネスが接続される回路を提供する。【解決手段】電源から供給される電力を用いて駆動する第一の回路１と、第一の回路１から電力が供給される第二の回路２と、を接続するハーネスの接続部７は、接地配線１７と別の配線１８、１９に設けられる第二の端子１８ａ、１９ａに接続部７の配線端子１８ｂ、１９ｂが接続されるより前に、第一の回路１の接地配線１７に設けられる第一の端子１７ａと接続部７の接地端子１７ｂが接続されるように、接地端子１７ｂの長さを配線端子１８ｂ、１９ｂの長さより長くする。【選択図】図１
2016110890.tif 000002
【特許請求の範囲】
【請求項１】
電源から供給される電力を用いて駆動する第一の回路と、前記第一の回路から電力が供給される第二の回路と、を接続するハーネスであって、
前記ハーネスは、前記第一の回路の接地配線に設けられる第一の端子と接続される接地端子と、前記接地配線と別の前記第一の回路にある配線に設けられている第二の端子と接続される配線端子と、を有する第一の接続部を備え、
前記第二の端子に前記配線端子が接続されるより前に、前記第一の端子に前記接地端子が接続されるように、前記接地端子の長さは前記配線端子の長さより長い、
ことを特徴とするハーネス。
【請求項２】
請求項１に記載のハーネスであって、
前記ハーネスは、前記第二の回路の接地配線に設けられる端子と接続される第三の端子と接続される接地端子と、前記接地配線と別の前記第二の回路にある配線に設けられている第四の端子と接続される配線端子と、を有する第二の接続部を備え、
前記第一の接続部を前記第一の回路に接続し、前記第二の接続部を前記第二の回路に接続すると、前記第一の回路の接地配線と前記第二の回路の接地配線の電位が同じ状態になる、ことを特徴とするハーネス。
【請求項３】
請求項２に記載のハーネスであって、
前記接地配線と別の前記第一の回路にある配線は、前記電源から供給される電力に基づいて前記第一の回路で生成される電力を前記第二の回路に供給するための配線である、ことを特徴とするハーネス。
【請求項４】
請求項２に記載のハーネスであって、
前記電源から電力が供給される前記第一の回路の電力配線は電池の正極端子に接続され、前記第二の回路の接地配線は前記電池の負極端子に接続されている、ことを特徴とするハーネス。
【請求項５】
請求項３または４に記載のハーネスであって、
前記第一の回路は前記電池の充放電を制御する制御回路であり、前記第二の回路は前記電池の状態を監視する監視回路である、ことを特徴とするハーネス。
【請求項６】
電源から供給される電力を用いて駆動する第一の回路であって、
前記第一の回路は、前記第一の回路から電力が供給される第二の回路と、を接続するハーネスの一端に設けられる第一の接続部と接続される接続部を備え、
前記接続部は、接地配線に設けられる第一の端子と、前記接地配線と別の配線に設けられている第二の端子と、を有し、
前記第二の端子に前記第一の接続部の配線端子が接続されるより前に、前記第一の端子に前記第一の接続部の接地端子が接続されるように、前記第一の接続部の前記接地端子の長さは前記配線端子の長さより長い、
ことを特徴とする第一の回路。
【請求項７】
請求項６に記載の第一の回路であって、
前記ハーネスの他端に設けられる第二の接続部は、前記第二の回路の接地配線に設けられる第三の端子と接続される接地端子と、前記接地配線とは別に前記第二の回路にある配線に設けられている第四の端子と接続される配線端子と、を有し、
前記第一の接続部を前記第一の回路に接続し、前記第二の接続部を前記第二の回路に接続すると、前記第一の回路の接地配線と前記第二の回路の接地配線の電位が同じ状態になる、ことを特徴とする第一の回路。
【請求項８】
請求項７に記載の第一の回路であって、
前記電源から電力が供給される前記第一の回路の電力配線は電池の正極端子に接続され、前記第二の回路の接地配線は前記電池の負極端子に接続されている、ことを特徴とする第一の回路。
【請求項９】
請求項８に記載の第一の回路であって、
前記第一の回路は前記電池の充放電を制御する制御回路であり、前記第二の回路は前記電池の状態を監視する監視回路である、ことを特徴とする第一の回路。
【発明の詳細な説明】
【技術分野】
【０００１】
本発明は、回路間を接続するハーネスおよびそのハーネスが接続される回路に関する。
【背景技術】
【０００２】
電源から供給される電力を用いて駆動する制御回路などの第一の回路と、その第一の回路から供給される電力（電源電圧より低い電圧の電力）を用いて駆動する監視回路などの第二の回路と、を接続して用いる装置において、電源の負極端子と第二の回路の接地端子とが接続されている状態で、かつ、電源の正極端子と第一の回路の電力配線に設けられる端子とが接続されている状態である場合に、第一の回路の接地配線と第二の回路の接地配線とが接続されるより前に、第一の回路の接地配線と別の回路配線と第二の回路の接地配線と別の回路配線とが接続されると、第二の回路に過電圧（電源電圧以下であり第二の回路の駆動に用いる電圧以上の電圧)が印加され、第二の回路を破損してしまうことがある。
【０００３】
そこで、電源の負極端子と第二の回路の接地端子とが接続されている状態で、かつ、電源の正極端子と第一の回路の電力配線に設けられる端子とが接続されている状態であったとしても、第二の回路に過電圧が印加されないようにしたい。
【０００４】
関連する技術として、特許文献１、２などがある。
【先行技術文献】
【特許文献】
【０００５】
【特許文献１】特開２００１−１８６６７１号公報
【特許文献２】特開２０１１−２２３７３８号公報
【発明の概要】
【発明が解決しようとする課題】
【０００６】
本発明の一側面に係る目的は、過電圧が回路に印加されることを抑制できるハーネスおよびそのハーネスが接続される回路を提供することである。
【課題を解決するための手段】
【０００７】
本発明の態様のひとつである、電源から供給される電力を用いて駆動する第一の回路と、第一の回路から電力が供給される第二の回路と、を接続するハーネスは、第一の回路の接地配線に設けられる第一の端子と接続される接地端子と、接地配線と別の第一の回路にある配線に設けられている第二の端子と接続される配線端子と、を有する第一の接続部を備える。そして、第二の端子に配線端子が接続されるより前に、第一の端子に接地端子が接続されるように、接地端子の長さは配線端子の長さより長く形成する。
【０００８】
また、本発明の他の態様のひとつである、第一の回路は、第一の回路から電力が供給される第二の回路と、を接続するハーネスの一端に設けられる第一の接続部と接続される接続部を備える。
【０００９】
接続部は、接地配線に設けられる第一の端子と、接地配線と別の配線に設けられている第二の端子と、を有し、第二の端子に第一の接続部の配線端子が接続されるより前に、第一の端子に第一の接続部の接地端子が接続されるように、第一の接続部の接地端子の長さは配線端子の長さより長く形成する。
【発明の効果】
【００１０】
本発明によれば、第二の回路に過電圧が印加されるのを防ぐことができる。
【図面の簡単な説明】
【００１１】
【図１】図１は、本実施形態に示す装置の一実施例を示す図である。
【図２】図２は、第一の回路の接続部とその接続部に接続されるハーネスの接続部の構造の一実施例を示す図である。
【図３】図３は、第一の回路の接続部とその接続部に接続されるハーネスの接続部の構造の一実施例を示す図である。
【発明を実施するための形態】
【００１２】
以下図面に基づいて実施形態について詳細を説明する。
本実施形態について説明する。
図１は、本実施形態に示す装置の一実施例を示す図である。図１に示す装置は、第一の回路１、第二の回路２、電源３を有し、それぞれはハーネスを用いて接続されている。装置は、例えば、電池パックなどの蓄電装置が考えられる。電源３は、例えば、組電池が考えられる。
【００１３】
第一の回路１は接続部５、６（コネクタ）、電力配線１６、接地配線１７、回路配線１８、１９を有している。
第一の回路について説明する。
【００１４】
接続部５は、電源３から第一の回路１に電力を供給するために設けられ、電力配線１６に設けられる端子１６ａを有する。また、接続部５はハーネスに設けられる後述する接続部４（コネクタ）と接続される。
【００１５】
接続部６は、第一の回路１の接地配線１７に設けられる端子１７ａ（第一の端子）と、接地配線１７と別の回路配線１８、１９それぞれに設けられる端子１８ａ、１９ａ（第二の端子）と、を有する。また、接続部６はハーネスに設けられる後述する接続部７（コネクタ：第一の接続部）と接続される。
【００１６】
なお、回路配線１８、１９は、電源３から供給される電力に基づいて第一の回路１で生成される電力（電源電圧より低い電圧の電力）を第二の回路２に供給するための配線あるいは第一の回路１で用いる信号配線などを示している。
【００１７】
また、電力配線１６、接地配線１７、回路配線１８、１９は、例えば、プリント基板に設けられたパターンやケーブル配線である。
第二の回路について説明する。
【００１８】
第二の回路２は接続部８、１０（コネクタ）、接地配線２２、回路配線２０、２１を有している。
接続部８は、接地配線２２に設けられる端子２２ａ（第三の端子）と、回路配線２０、２１それぞれに設けられる端子２０ａ、２１ａ（第四の端子）と、を有する。また、接続部８はハーネスに設けられる接続部９（コネクタ：第二の接続部）と接続される。
【００１９】
なお、回路配線２０、２１は、第一の回路１で生成される電力を第二の回路２に供給するための配線あるいは第二の回路２で用いる信号配線などを示している。
接続部１０は、接地配線２２に接続部８の端子２２ａと別に設けられる端子２２ｃを有する。接続部１０の端子２２ｃは、電源３の負極端子と接続するためのハーネスに設けられる接続部１１（コネクタ）の接地端子２２ｄと接続される。
【００２０】
なお、接地配線２２、回路配線２０、２１は、例えば、プリント基板に設けられたパターンやケーブル配線である。
ハーネスについて説明する。
【００２１】
電力を供給する第一の回路１と、第一の回路１から電力が供給される第二の回路２と、を接続するハーネスは、接続部７、接続部９、配線１２、１５（例えば、ケーブル）を有する。
【００２２】
接続部７は、第一の回路１の有する、第一の回路１の接地配線１７に設けられる端子１７ａに接続される接地端子１７ｂと、接地配線１７と別の回路配線１８、１９それぞれに設けられる端子１８ａ、１９ａに接続される配線端子１８ｂ、１９ｂそれぞれと、を有する。端子１８ａ、１９ａに配線端子１８ｂ、１９ｂが接続されるより前に、端子１７ａに接地端子１７ｂが接続されるように、接地端子１７ｂの長さは配線端子１８ｂ、１９ｂの長さより長いものとする。なお、接続部７の接地端子１７ｂは、配線１２の一端と接続され、配線１２、接続部９の接地端子２２ｂ、接続部８の端子２２ａ、接地配線２２、接続部１０の端子２２ｃ、接続部１１の接地端子２２ｄ、配線１４を介して、電源３の負極端子と接続されている。
【００２３】
接続部９は、第二の回路２の回路配線２０、２１それぞれに設けられる端子２０ａ、２１ａに接続される配線端子２０ｂ、２１ｂそれぞれと、第二の回路２の接地配線２２に設けられる端子２２ａに接続される接地端子２２ｂと、を有する。
【００２４】
続いて、第一の回路１に電力を供給するハーネスは、接続部４、配線１３（例えば、ケーブル）を有する。接続部４は、電源３から電力が供給される第一の回路１の電力配線１６に設けられる端子１６ａに接続される端子１６ｂを有する。
【００２５】
また、第二の回路２の接続部１０に接続されるハーネスは、接続部１１、配線１４（例えば、ケーブル）を有する。接続部１１は、第二の回路２の接地配線２２に設けられる端子２２ｃに接続される接地端子２２ｄを有する。本例では、電源３の負極端子と、第二の回路２の接地配線２２と、が接続部１０、１１を用いて接続されているが、接続部１０、１１を用いずに直接接続してもよい。
【００２６】
本実施形態によれば、電源３の負極端子と第二の回路２の接地端子とが接続されている状態（接続部１０、１１が接続されている状態）で、かつ、電源の正極端子と第一の回路の電力配線に設けられる端子とが接続されている状態（接続部４、５が接続されている状態）でも、接続部６の端子１８ａ、１９ａと接続部７の配線端子１８ｂ、１９ｂとが接続されるより前に、接続部６の端子１７ａと接続部７の配線端子１７ｂとが接続される構造であるので、第一の回路１の接地配線１７と第二の回路２の接地配線２２の電位を同じ状態にできるので、第二の回路２に過電圧が印加されないようにできる。
【００２７】
また、本実施形態によれば、接続部６から接続部７を抜く場合、接続端子が最後に外れるため、回路が不安定な状態にならない。
図２、図３は、第一の回路の接続部とその接続部に接続されるハーネスの接続部の構造の一実施例を示す断面図である。
（Ａ）図２の基板２００は第一の回路１の基板に相当する。図２の接続部２０１は第一の回路１の接続部６に相当する。図２の接続部２０２はハーネスの接続部７に相当する。図２の端子２０３は端子１８ａ、１９ａに相当し、端子２０４は端子１７ａに相当する。図２の端子２０５は配線端子１８ｂ、１９ｂに相当し、端子２０６は接地端子１７ｂに相当する。図２の配線２０７は配線１５に相当し、配線２０８は配線１２に相当する。
【００２８】
図２の例では、端子２０５および端子２０６と接続される端子２０３および端子２０４の接続端（基板２００の端面２０９側の先端部）は、同じ位置にある。対して端子２０６の長さを端子２０５の長さより長く形成されている（図２のｈ）。なお、長さｈは、端子２０３に端子２０５が接続される前に、端子２０４に端子２０６が接続されるような長さであればよい。
【００２９】
従って、電源３の負極端子と第二の回路２の接地端子とが接続されている状態（接続部１０、１１が接続されている状態）で、かつ、電源の正極端子と第一の回路の電力配線に設けられる端子とが接続されている状態（接続部４、５が接続されている状態）でも、接続部２０１の端子２０４（第一の端子１７ａ）、端子２０３（第二の端子１８ａ、１９ａ）と、接続部２０２の端子２０６（接地端子１７ｂ）、端子２０５（配線端子１８ｂ、１９ｂ）とは、端子２０４と端子２０６から先に接続される構造であるので、第二の回路２に過電圧が印加されない。また、接続部２０１から接続部２０２を抜く場合、端子２０４と端子２０６が最後に外れるため、回路が不安定な状態にならない。
【００３０】
（Ｂ）また、図３に示すようにしてもよい。図３の基板３００は第一の回路１の基板に相当する。図３の接続部３０１は第一の回路１の接続部６に相当する。図３の接続部３０２はハーネスの接続部７に相当する。図３の端子３０３は端子１８ａ、１９ａに相当し、端子３０４は端子１７ａに相当する。図３の端子３０５は配線端子１８ｂ、１９ｂに相当し、端子３０６は接地端子１７ｂに相当する。図３の配線３０７は配線１５に相当し、配線３０８は配線１２に相当する。
【００３１】
図３の例では、端子３０３および端子３０４と接続される端子３０５および端子３０６の接続端（基板３００の端面３０９側の先端部）は、同じ位置にある。対して端子３０４の長さは端子３０３の長さより長く形成されている（図３のｈ）。なお、長さｈは、端子３０３が端子３０５に接続されるより前に、端子３０４に端子３０６が接続されるような長さであればよい。
【００３２】
従って、電源３の負極端子と第二の回路２の接地端子とが接続されている状態（接続部１０、１１が接続されている状態）で、かつ、電源の正極端子と第一の回路の電力配線に設けられる端子とが接続されている状態（接続部４、５が接続されている状態）でも、接続部３０１の端子３０４（第一の端子１７ａ）、端子３０３（第二の端子１８ａ、１９ａ）と接続部３０２の端子３０６（接地端子１７ｂ）、端子３０５（配線端子１８ｂ、１９ｂ）とは、端子３０４と端子３０６から先に接続される構造であるので、第二の回路２に過電圧が印加されない。また、接続部３０１から接続部３０２を抜く場合、端子３０４と端子３０６が最後に外れるため、回路が不安定な状態にならない。
【００３３】
また、本発明は、本実施形態に限定されるものでなく、本発明の要旨を逸脱しない範囲内で種々の改良、変更が可能である。
なお、第一の回路１は、例えば、車両に搭載される蓄電装置に備えられている電池の充放電を制御する制御ＥＣＵ（Electronic Control Unit）などの回路でもよい。また、第二の回路２は、例えば、電池の状態を監視する監視ＥＣＵなどの回路でもよい。
【符号の説明】
【００３４】
１  第一の回路、
２  第二の回路、
３  電源、
４、５、６、７、８、９、１０、１１  接続部、
１２、１３、１４、１５  配線、
１７、２２  接地配線、
１６  電力配線、
１８、１９、２０、２１  回路配線、
１６ａ、１７ａ、１８ａ、１９ａ、２０ａ、２１ａ、２２ａ、２２ｃ  端子、
１７ｂ、２２ｂ、２２ｄ  接地端子、
１８ｂ、１９ｂ、２０ｂ、２１ｂ  配線端子、
２００、３００  基板、
２０１、３０１  接続部、
２０２、３０２  接続部、
２０３、２０４、２０５、２０６、３０３、３０４、３０５、３０６  端子、
２０７、２０８、３０７、３０８  配線、
２０９、３０９  端面、
【図１】
2016110890.tif 000003
【図２】
2016110890.tif 000004
【図３】
2016110890.tif 000005